(57)【要約】【課題】優れたスイッチング精度や耐衝撃性・耐振動性を確保しつつ、小型で低消費電力の光スイッチを提供することを目的とする。【解決手段】第１の光ファイバ１２ａ１、１２ａ２及び第２の光ファイバ１２ｂ１、１２ｂ２の各端面に２芯フェルール１４ａ、１４ｂを介してＧＲＩＮレンズ１６ａ、１６ｂが設置され、その間に光路１８が形成されている。光路１８の近傍のロータ２０に、両面反射ミラー２６が突設されている。ロータ２０のＮ極及びＳ極の両先端部の近傍に位置する４つの端部ａ１、ａ２；ｂ１、ｂ２をもつ第１及び第２のヨーク２８ａ、２８ｂ及び励磁コイル３０ａ、３０ｂが配置されている。ロータ２０の両先端部と４つの端部との間に生じる磁気的な吸引力と反発力によりロータ２０を正逆方向に回動させ、両面反射ミラー２６を光路１８中に出入させて、第１及び第２の光ファイバ間で光路を切替える２×２の光スイッチング動作を行う。【選択図】　　　図１
2004133030.tif 000002
【特許請求の範囲】
【請求項１】
互いに端面が対向する第１の光ファイバと第２の光ファイバとを結ぶ光路と、
前記光路の近傍に配置され、両先端部がＮ極及びＳ極にそれぞれ帯磁されているロータと、
前記ロータに突設され、前記ロータの正逆方向への回動に伴って前記光路中に出入される光学機能部品と、
前記ロータの両先端部が回動する軌道上であって、該両先端部の側面の近傍に配置された複数の端部を有するヨークと、
前記ヨークをＮ極又はＳ極に磁化する励磁コイルと、を備え、
前記励磁コイルによって磁化された前記ヨークの複数の端部と前記ロータの両先端部との間に生じる磁気的な吸引力及び／又は反発力により、前記ロータ及び前記光学機能部品を正方向又は逆方向に回動させると共に、前記ロータの両先端部の側面を前記ヨークの所定の端部に当接させて回動を停止させ、前記光学機能部品が前記光路中に挿入された又は前記光路中から離脱した２つの安定状態を発生させる
ことを特徴とする光スイッチ。
【請求項２】
前記光学機能部品が前記２つの安定状態のうち、何れの状態にあるかを判別するための光学機能部品位置検出器が設置されている、請求項１記載の光スイッチ。
【請求項３】
前記ロータ及び前記光学機能部品の全体の重心が、前記ロータの回転軸に位置する、請求項１記載の光スイッチ。
【請求項４】
前記第１及び第２の光ファイバの各端面に、それぞれ第１及び第２のコリメータが設けられている、請求項１記載の光スイッチ。
【請求項５】
前記第１及び第２のコリメータが、分布屈折率レンズ、非球面レンズ、又はボールレンズである、請求項４記載の光スイッチ。
【請求項６】
請求項１記載の光スイッチが、複数個、並列に配置されていることを特徴とする光スイッチ。
【発明の詳細な説明】
【０００１】
【発明の属する技術分野】
本発明は光通信システム等に使用される光スイッチに関する。
【０００２】
【従来の技術】
光通信システム等に使用される光スイッチには、ソレノイドアクチュエータや汎用のリレースイッチを用いて、例えば反射ミラー等の光学機能部品を光路中に出し入れするオン／オフ動作により光路の切替えを行うメカニカル型のものがある。こうした構造の光スイッチは、例えばＵＳ　ＰＡＴ．６２０８７７７に報告されている。特にリレースイッチは、光スイッチが必要とする２点間の往復動作を容易に実現することが可能であり、小型で安価なものが容易に入手できるため、アクチュエータとしてではないが、上記の報告例に限らず、各種の光スイッチに広く組み込まれている。
【０００３】
また、アクチュエータにマイクロモータ（ＤＣモータ）を用いた光スイッチもあり、こうした構造の光スイッチが、例えば２０００年電子情報通信学会エレクトロニクスソサエティ大会の予稿集Ｃ−３−８１に報告されている。
【０００４】
【非特許文献１】
２０００年電子情報通信学会エレクトロニクスソサエティ大会の予稿集Ｃ−３−８１
【０００５】
【発明が解決しようとする課題】
近年、上記したメカニカル型の光スイッチについても更なる小型化や低消費電力化が要請されている。その場合、例えば反射ミラーの移動機構や、その駆動力を発生させるアクチュエータの小型化や低消費電力化が必要となる。
しかし、例えばリレースイッチをアクチュエータとして用いる場合、一般には既存品の中から小型のリレースイッチを選択して使用することになるが、その際にリレースイッチは小型になった分だけその出力が小さくなる。このため、リレースイッチによる反射ミラーの駆動力が小さくなり、その移動量や保持力も小さくなる。その結果、小型のリレースイッチを光スイッチに適用する際には、性能上の制約が生じるという問題があった。
【０００６】
また、小型のリレースイッチを用いる場合、機構が小さくなった分だけ、出力を取り出すピックアップ部品の取り付けも難しくなるし、そのピックアップ部品による負荷の増加も無視できなくなるという問題もあった。
また、接点切替えを目的とするリレースイッチを用いる場合、反射ミラーに直結することができず、一般に移動ストロークや保持力も規定されていない。従って、光スイッチのスイッチング精度や耐衝撃性・耐振動性を確保するためには、リレースイッチにプラスして、反射ミラーと一体となった２次的な機構、主として回転機構を追加する必要が生じる。その結果、光スイッチの小型化や低消費電力化が制約されることになるという問題があった。
【０００７】
更に、上記したマイクロモータをアクチュエータとして用いる場合、反射ミラーに高い位置精度が要求されるため、マイクロモータと反射ミラーの一体化は困難である。従って、反射ミラーの高い位置精度を確保するためには、この場合も反射ミラーと一体となった２次的な機構、主として回転機構を追加する必要が生じる。その結果、光スイッチの小型化や低消費電力化が制約されることになるという問題があった。
【０００８】
本発明は、上記した事情を考慮してなされたものであり、優れたスイッチング精度や耐衝撃性・耐振動性を確保しつつ、小型で低消費電力の光スイッチを提供することを目的とする。
【０００９】
【課題を解決するための手段】
上記した目的を達成するために、本発明においては、互いに端面が対向する第１の光ファイバと第２の光ファイバとを結ぶ光路と、前記光路の近傍に配置され、両先端部がＮ極及びＳ極にそれぞれ帯磁されているロータと、前記ロータに突設され、前記ロータの正逆方向への回動に伴って前記光路中に出入される光学機能部品と、前記ロータの両先端部が回動する軌道上であって、該両先端部の側面の近傍に配置された複数の端部を有するヨークと、前記ヨークをＮ極又はＳ極に磁化する励磁コイルと、を備え、前記励磁コイルによって磁化された前記ヨークの複数の端部と前記ロータの両先端部との間に生じる磁気的な吸引力及び／又は反発力により、前記ロータ及び前記光学機能部品を正方向又は逆方向に回動させると共に、前記ロータの両先端部の側面を前記ヨークの所定の端部に当接させて回動を停止させ、前記光学機能部品が前記光路中に挿入された又は前記光路中から離脱した２つの安定状態を発生させることを特徴とする光スイッチが提供される。
【００１０】
なお、ここで、前記光学機能部品が前記２つの安定状態のうち、何れの状態にあるかを判別するための光学機能部品位置検出器が設置されていることが好適である。
また、前記ロータ及び前記光学機能部品の全体の重心が、前記ロータの回転軸に位置することが好適である。
【００１１】
また、前記第１及び第２の光ファイバの各端面に、それぞれ第１及び第２のコリメータが対向して設けられていることが好適である。そして、前記第１及び第２のコリメータが、分布屈折率レンズ、非球面レンズ、又はボールレンズであることが好適である。
また、上記の光スイッチが、複数個、並列に配置されていることが好適である。
【００１２】
【発明の実施の形態】
以下、本発明の実施の形態について添付図面を参照しつつ説明する。
（第１の実施形態）
図１（ａ）、（ｂ）に示されるように、本実施形態に係る光スイッチ１０Ａにおいては、２本の第１の光ファイバ１２ａ１、１２ａ２の端面に、２芯フェルール１４ａを介して、コリメータとしてのＧＲＩＮ（Ｇｒａｄｅｄ　Ｉｎｄｅｘ；分布屈折率）レンズ１６ａが設置されている。また、同様に、２本の第２の光ファイバ１２ｂ１、１２ｂ２の端面にも、２芯フェルール１４ｂを介して、ＧＲＩＮレンズ１６ｂが設置されている。なお、２芯フェルールとＧＲＩＮレンズとが光学的に組み合わされたものは、通常、２芯コリメータと呼ばれる。
【００１３】
これらのＧＲＩＮレンズ１６ａ、１６ｂは互いに対向し、その間に、第１の光ファイバ１２ａ１、１２ａ２と第２の光ファイバ１２ｂ１、１２ｂ２とを光学的に結合する光路１８が形成されている。即ち、第１の光ファイバ１２ａ１と第２の光ファイバ１２ｂ２とが、２芯フェルール１４ａ、１４ｂ、ＧＲＩＮレンズ１６ａ、１６ｂ、及び光路１８を介して調芯されている。また、第１の光ファイバ１２ａ２と第２の光ファイバ１２ｂ１とが、同様にして調芯されている。
【００１４】
また、光路１８の近傍には、ロータ２０が配置されている。このロータ２０は、両先端部がＮ極及びＳ極にそれぞれ帯磁している略棒状の永久磁石からなり、軸受け２２に両端を支えられた回転軸２４の回りを正逆方向に回動する。
また、このロータ２０には、光学機能部品としての両面反射ミラー２６が突設されている。このため、ロータ２０の正逆方向への回動に伴って、両面反射ミラー２６も一体的に回動する。そして、その回動の際に、両面反射ミラー２６が光路１８中に出入される。
【００１５】
また、ロータ２０と両面反射ミラー２６とを合わせた全体の重心は、ロータ２０の回転軸２４に位置している。このため、ロータ２０が両面反射ミラー２６と一体的に回動する際には、優れた耐衝撃性や耐振動性が実現される。
また、ロータ２０の近傍には、各２つの端部ａ１、ａ２；ｂ１、ｂ２をそれぞれ有する第１及び第２のヨーク２８ａ、２８ｂが配置されている。そして、合計４つの端部ａ１、ａ２、ｂ１、ｂ２が、ロータ２０の両先端部が正逆方向に回動する軌道上であって、両先端部の両側面の近傍に配置されている。これら４つの端部のうち、第１のヨーク２８ａの端部ａ１、ａ２は、それぞれロータ２０のＮ極側先端部及びＳ極側先端部の近傍に位置すると共に、回転軸２４に関して対称な位置にある。また、第２のヨーク２８ｂの端部ｂ１、ｂ２も、それぞれロータ２０のＮ極側先端部及びＳ極側先端部の近傍に位置すると共に、回転軸２４に関して対称な位置にある。そして、端部ａ１と端部ｂ１、端部ａ２と端部ｂ２とは、それぞれロータ２０の両先端部及び回転軸２４を含む平面に関して対称な位置にある。即ち、ロータ２０が一方向に回動する際には、ロータ２０の両先端部の側面がそれぞれ第１及び第２のヨーク２８ａ、２８ｂの何れか一方のヨークの２つの端部に突き当たり、他方向に回動する際には、他方のヨークの２つの端部に突き当たる。
【００１６】
また、第１のヨーク２８ａの２つの端部ａ１、ａ２を互いに異なる極性に磁化する励磁コイル３０ａが配置されている。同様に、第２のヨーク２８ｂの２つの端部ｂ１、ｂ２を互いに異なる極性に磁化する励磁コイル３０ｂが配置されている。
次に、図１（ａ）、（ｂ）の光スイッチ１０Ａの動作を、図２（ａ）〜（ｆ）を用いて説明する。
【００１７】
いま、図２（ａ）に示されるように、励磁コイル３０ａに所定の方向の電流を流して、第１のヨーク２８ａの２つの端部のうち、ロータ２０のＮ極側先端部の近傍に位置する一方の端部ａ１をＳ極に磁化し、Ｓ極側先端部の近傍に位置する他方の端部ａ２をＮ極に磁化している。このとき、ロータ２０のＮ極側先端部と端部ａ１との間、及びＳ極側先端部と端部ａ２との間には、それぞれ磁気的な吸引力が生じている。このため、ロータ２０のＮ極側先端部及びＳ極側先端部の各側面がヨーク２８ａの２つの端部ａ１、ａ２にそれぞれ当接している安定な状態が発生している。この状態を第１安定状態と呼ぶ。
【００１８】
この第１安定状態では、ロータ２０に突設されている両面反射ミラー２６が光路１８中から離脱した状態となる。このため、例えば第１の光ファイバ１２ａ１を伝搬してきた光は、２芯フェルール１４ａ、ＧＲＩＮレンズ１６ａ、光路１８、ＧＲＩＮレンズ１６ｂ、及び２芯フェルール１４ｂを介して、第２の光ファイバ１２ｂ２に入射される。また、例えば第２の光ファイバ１２ｂ１を伝搬してきた光は、２芯フェルール１４ｂ、ＧＲＩＮレンズ１６ｂ、光路１８、ＧＲＩＮレンズ１６ａ、及び２芯フェルール１４ａを介して、第１の光ファイバ１２ａ２に入射される。
【００１９】
次いで、励磁コイル３０ａに流している電流の向きを切り替えて、ヨーク２８ａの２つの端部ａ１、ａ２をそれまでとは逆の極性に磁化する。その結果、ロータ２０の両先端部と２つの端部ａ１、ａ２との間には、磁気的な反発力が生じるため、図２（ｂ）に示されるように、ロータ２０は矢印方向（この方向を「正方向」と呼ぶ）に回動し始める。このロータ２０の正方向の回動は、図２（ｃ）に示されるように、ロータ２０の両先端部の側面がヨーク２８ｂの２つの端部ｂ１、ｂ２にそれぞれ突き当たって停止する。
【００２０】
次いで、このロータ２０の回動が停止した状態で、励磁コイル３０ａへの電流の供給を停止すると共に、励磁コイル３０ｂに所定の方向の電流を流して、ロータ２０のＮ極側先端部の側面が当接している一方の端部ｂ１をＳ極に磁化し、Ｓ極側先端部の側面が当接している他方の端部ｂ２をＮ極に磁化する。このとき、ロータ２０の両先端部と２つの端部ｂ１、ｂ２との間には、それぞれに磁気的な吸引力が生じるため、図２（ｄ）に示されるように、ロータ２０の両先端部の側面がヨーク２８ａの２つの端部ｂ１、ｂ２にそれぞれ当接している第２安定状態が発生する。
【００２１】
この第２安定状態では、ロータ２０に突設されている両面反射ミラー２６が光路１８中に挿入された状態となる。このため、例えば第１の光ファイバ１２ａ１を伝搬してきた光は、２芯フェルール１４ａ及びＧＲＩＮレンズ１６ａを通過し、光路１８中の両面反射ミラー２６で反射され、再びＧＲＩＮレンズ１６ａ及び２芯フェルール１４ａを通過して、第１の光ファイバ１２ａ２に入射される。同様に、例えば第２の光ファイバ１２ｂ１を伝搬してきた光は、２芯フェルール１４ｂ及びＧＲＩＮレンズ１６ｂを通過し、光路１８中の両面反射ミラー２６で反射され、再びＧＲＩＮレンズ１６ｂ及び２芯フェルール１４ｂを通過して、第２の光ファイバ１２ｂ２に入射される。
【００２２】
次いで、励磁コイル３０ｂに流している電流の向きを切り替えて、ヨーク２８ｂの２つの端部ｂ１、ｂ２をそれまでとは逆の極性に磁化する。その結果、ロータ２０の両先端部とヨーク２８ｂの２つの端部ｂ１、ｂ２との間には、それぞれに磁気的な反発力が生じるため、図２（ｅ）に示されるように、ロータ２０は矢印方向（この方向を「逆方向」と呼ぶ）に回動し始める。このロータ２０の逆方向の回動は、図２（ｆ）に示されるように、ロータ２０の両先端部の側面がヨーク２８ａの２つの端部ａ１、ａ２にそれぞれ突き当たって停止する。
【００２３】
次いで、このロータ２０の回動が停止した状態で、励磁コイル３０ｂへの電流の供給を停止すると共に、励磁コイル３０ａに所定の方向の電流を流して、ロータ２０のＮ極側先端部の側面が当接している一方の端部ａ１をＳ極に磁化し、Ｓ極側先端部の側面が当接している他方の端部ａ２をＮ極に磁化すれば、図２（ａ）に示される第１安定状態に戻ることになる。
【００２４】
なお、図２（ａ）〜（ｆ）を用いて説明した両面反射ミラー２６の駆動方法の代わりに、例えば次のような駆動方法を採用してもよい。
即ち、図３（ａ）に示されるように、励磁コイル３０ａ、３０ｂの両方にそれぞれ所定の方向の電流を流して、第１のヨーク２８ａの２つの端部ａ１、ａ２をそれぞれＳ極及びＮ極に磁化すると共に、第２のヨーク２８ｂの２つの端部ｂ１、ｂ２をそれぞれＮ極及びＳ極に磁化する。このとき、ロータ２０の両先端部に対し、端部ａ１、ａ２との間に磁気的な吸引力が生じ、同時に、端部ｂ１、ｂ２との間に磁気的な反発力を生じている。このため、ロータ２０の両先端部の側面がヨーク２８ａの２つの端部ａ１、ａ２にそれぞれ当接した第１安定状態が発生する。
【００２５】
次いで、図３（ｂ）に示されるように、励磁コイル３０ａ、３０ｂにそれぞれ流している電流の向きを切り替えて、４つの端部ａ１、ａ２、ｂ１、ｂ２をそれまでとは逆の極性に磁化する。こうして、ロータ２０の両先端部に対し、端部ａ１、ａ２との間にそれぞれ磁気的な反発力を生じさせ、同時に、端部ｂ１、ｂ２との間にそれぞれ磁気的な吸引力を生じさせる。このため、ロータ２０は図中の矢印方向、即ち正方向に回動する。そして、ロータ２０の両先端部の側面がヨーク２８ｂの２つの端部ｂ１、ｂ２にそれぞれ突き当たって停止した状態で、図３（ｃ）に示されるように、ロータ２０の両先端部の側面が端部ｂ１、ｂ２にそれぞれ当接した第２安定状態が発生する。
【００２６】
次いで、図３（ｄ）に示されるように、励磁コイル３０ａ、３０ｂにそれぞれ流している電流の向きを再び切り替えて、４つの端部ａ１、ａ２、ｂ１、ｂ２の極性を再度逆転する。こうして、ロータ２０の両先端部に対し、端部ｂ１、ｂ２との間に磁気的な反発力を生じさせ、同時に、端部ａ１、ａ２との間に磁気的な吸引力を生じさせる。このため、ロータ２０は図中の矢印方向、即ち逆方向に回動する。そして、ロータ２０の両先端部の側面がヨーク２８ａの２つの端部ａ１、ａ２にそれぞれ突き当たり当接した状態で、再び図３（ａ）に示される第１安定状態に戻ることになる。
【００２７】
このようにして、ロータ２０のＮ極及びＳ極にそれぞれ帯磁している両先端部と励磁コイル３０ａ、３０ｂによって磁化される第１及び第２のヨーク２８ａ、２８ｂの４つの端部ａ１、ａ２、ｂ１、ｂ２との間に生じる磁気的な吸引力と反発力によってロータ２０を正逆方向に回動させ、ロータ２０に突設された両面反射ミラー２６を光路１８中に出入させることにより、第１及び第２の光ファイバ１２ａ１、１２ａ２、１２ｂ１、１２ｂ２間で光路を切替える２×２の光スイッチング動作が行われる。
【００２８】
以上のように本実施形態に係る光スイッチ１０Ａによれば、両面反射ミラー２６を光路１８中に出入させて第１及び第２の光ファイバ１２ａ１、１２ａ２、１２ｂ１、１２ｂ２間の２×２の光スイッチング動作を行う際に、ロータ２０、第１及び第２のヨーク２８ａ、２８ｂ、並びに励磁コイル３０ａ、３０ｂによって生じる磁気力によって両面反射ミラー２６が駆動される構造となっているため、優れたスイッチング精度や耐衝撃性・耐振動性を確保しつつ、比較的簡単な構造で、小型化と低消費電力化を達成することができる。
【００２９】
（第２の実施形態）
図４（ａ）、（ｂ）に示されるように、本実施形態に係る光スイッチ１０Ｂにおいては、第１の実施形態に係る光スイッチ１０Ａのロータ２０と一体的に回動する両面反射ミラー２６の位置を検出するためのミラー位置検出器３２が設置されている。他の構成要素は、第１の実施形態の場合と同様である。
【００３０】
このミラー位置検出器３２は、ロータ２０の近傍に配置された一対の発光部３４ａと受光部３４ｂを有するフォトセンサ３４と、ロータ２０の所定の位置に突設された遮光板３６とを備え、ロータ２０の回動に伴って遮光板３６が発光部３４ａと受光部３４ｂとの間の光路３８中に出入されるようになっている。この遮光板３６の突設位置は、例えば回転軸２４に関して両面反射ミラー２６の突設位置と略対称な地点にある。
【００３１】
そして、例えば第１安定状態では、遮光板３６が光路３８中に挿入され、発光部３４ａから受光部３４ｂに向かう光を遮断する。また、例えば第２安定状態では、遮光板３６が光路３８中から離脱して、発光部３４ａから出射された光が受光部３４ｂに到達し、そこで検出される。こうして、第１安定状態であるか第２安定状態であるか、即ち両面反射ミラー２６が光路１８中から離脱した状態であるか光路１８中に挿入された状態であるかが、フォトセンサ３４によって容易に検出される。
【００３２】
この場合、ロータ２０と両面反射ミラー２６と遮光板３６とを合わせた全体の重心が、ロータ２０の回転軸２４に位置しており、ロータ２０が両面反射ミラー２６及び遮光板３６と一体的に回動する際に、優れた耐衝撃性や耐振動性が実現されるようになっている。
なお、図４（ａ）、（ｂ）の光スイッチ１０Ｂの動作は、図２（ａ）〜（ｆ）又は図３（ａ）〜（ｄ）を用いて説明した第１の実施形態の場合と略同様であるため、その説明を省略する。
【００３３】
以上のように本実施形態に係る光スイッチ１０Ｂによれば、ミラー位置検出器３２第１の実施形態の効果に加え、ミラー位置検出器３２によって両面反射ミラー２６が第１安定状態にあるか第２安定状態にあるかを検出されるため、両面反射ミラー２６の光路１８中への出入による光スイッチングの状態を容易に把握することが可能になる。
【００３４】
なお、本実施形態のミラー位置検出器３２は、遮光板３６がフォトセンサ３４の発光部３４ａと受光部３４ｂとの間に出入されるようになっているが、遮光板３６の代わりに反射ミラーを用い、この反射ミラーに対して発光部３４ａ及び受光部３４ｂが同一側に配置される構造としてもよい。更には、フォトセンサ３４と遮光板３６とを組み合わせる代わりに、リーフ接点等を用いる方法を採用してもよい。
【００３５】
（第３の実施形態）
図５に示されるように、本実施形態に係る光スイッチ１０Ｃにおいては、第１の実施形態の第１及び第２の光ファイバ１２ａ１、１２ａ２；１２ｂ１、１２ｂ２の２つの端面にそれぞれ２芯フェルール１４ａ；１４ｂを介してＧＲＩＮレンズ１６ａ；１６ｂが設置される代わりに、第１及び第２の光ファイバ１２ａ１、１２ａ２、１２ｂ１、１２ｂ２の４つの端面に、それぞれ１芯フェルール１４ａ１、１４ａ２、１４ｂ１、１４ｂ２を介して、ＧＲＩＮレンズ１６ａ１、１６ａ２、１６ｂ１、１６ｂ２が各別に設置されている。なお、１芯フェルールとＧＲＩＮレンズとが光学的に組み合わされたものは、通常、１芯コリメータと呼ばれる。
【００３６】
そして、第１の光ファイバ１２ａ１と第２の光ファイバ１２ｂ１とが、１芯フェルール１４ａ１、１４ｂ１、ＧＲＩＮレンズ１６ａ１、１６ｂ１、及び光路１８を介して調芯されており、第１の光ファイバ１２ａ２と第２の光ファイバ１２ｂ２とも、１芯フェルール１４ａ２、１４ｂ２、ＧＲＩＮレンズ１６ａ２、１６ｂ２、及び光路１８を介して調芯されている。
【００３７】
また、第１の実施形態の両面反射ミラー２６の代わりに、光学機能部品として平行四辺形のプリズム２６ａがロータ２０に突設され、ロータ２０の回動に伴ってＧＲＩＮレンズ１６ａ１、１６ａ２とＧＲＩＮレンズ１６ｂ１、１６ｂ２との間の光路１８中に出入可能に配置されている。ここで、ロータ２０とプリズム２６ａとを合わせた全体の重心は、ロータ２０の回転軸２４に位置しており、ロータ２０がプリズム２６ａと一体的に回動する際に、優れた耐衝撃性や耐振動性が実現されるようになっている。他の構成要素は、第１の実施形態の場合と同様である。
【００３８】
なお、後述する第４〜第９の実施形態においてプリズム２６ａの代わりに他の光学機能部品を用いる場合でも、その光学機能部品とロータ２０とを合わせた全体の重心が、ロータ２０の回転軸２４と一致している。このため、ロータ２０が所定の光学機能部品と一体的に回動する際には、優れた耐衝撃性や耐振動性を実現される。
【００３９】
次に、図５の光スイッチ１０Ｃの動作を説明する。
第１の実施形態の場合と同様にして、ロータ２０の両先端部と第１及び第２のヨーク２８ａ、２８ｂの端部ａ１、ａ２、ｂ１、ｂ２との間に生じる磁気的な吸引力と反発力によってロータ２０を正逆方向に回動させることにより、ロータ２０の両先端部の側面がいずれか第１のヨークの２つの端部に当接した第１安定状態と第２安定状態を発生させ、この２つの安定状態を任意に往復する。
【００４０】
第１安定状態では、ロータ２０に突設されているプリズム２６ａが光路１８中から離脱した状態となるため、例えば第１の光ファイバ１２ａ１を伝搬してきた光は、１芯フェルール１４ａ１、ＧＲＩＮレンズ１６ａ１、光路１８、ＧＲＩＮレンズ１６ｂ１、及び１芯フェルール１４ｂ１を介して、第２の光ファイバ１２ｂ１に入射される。また、例えば第１の光ファイバ１２ａ２を伝搬してきた光は、１芯フェルール１４ａ２、ＧＲＩＮレンズ１６ａ２、光路１８、ＧＲＩＮレンズ１６ｂ２、及び１芯フェルール１４ｂ２を介して、第２の光ファイバ１２ｂ２に入射される。
【００４１】
また、第２安定状態では、プリズム２６ａが光路１８中に挿入された状態となるため、第１の光ファイバ１２ａ１を伝搬してきた光は、１芯フェルール１４ａ１、ＧＲＩＮレンズ１６ａ１、光路１８及びプリズム２６ａ、ＧＲＩＮレンズ１６ｂ２、並びに１芯フェルール１４ｂ２を介して、第２の光ファイバ１２ｂ２に入射される。また、第１の光ファイバ１２ａ２を伝搬してきた光は、１芯フェルール１４ａ２、ＧＲＩＮレンズ１６ａ２、光路１８及びプリズム２６ａ、ＧＲＩＮレンズ１６ｂ１、並びに１芯フェルール１４ｂ１を介して、第２の光ファイバ１２ｂ１に入射される。
【００４２】
このようにして、プリズム２６ａを光路１８中に出入させることにより、第１及び第２の光ファイバ１２ａ１、１２ａ２、１２ｂ１、１２ｂ２間で光路を切替える２×２の光スイッチング動作が行われる。
以上のように本実施形態に係る光スイッチ１０Ｃによれば、第１及び第２の光ファイバ１２ａ１、１２ａ２；１２ｂ１、１２ｂ２の端面に各別に１芯フェルール１４ａ１、１４ａ２；１４ｂ１、１４ｂ２を介してＧＲＩＮレンズ１６ａ１、１６ａ２；１６ｂ１、１６ｂ２を設置すると共に光学機能部品としてプリズム２６ａを用いている点の除けば、第１の実施形態と同様の構造となっているため、略同様の効果を奏することができる。
【００４３】
（第４の実施形態）
図６に示されるように、本実施形態に係る光スイッチ１０Ｄにおいては、第１の実施形態の第２の光ファイバ１２ｂ１、１２ｂ２の端面に２芯フェルール１４ｂを介してＧＲＩＮレンズ１６ｂが設置されている代わりに、第２の光ファイバ１２ｃの端面に１芯フェルール１４ｃを介してＧＲＩＮレンズ１６ｃが設置されている。そして、第１の光ファイバ１２ａ１と第２の光ファイバ１２ｃとが、２芯フェルール１４ａ及び１芯フェルール１４ｃ、ＧＲＩＮレンズ１６ａ、１６ｃ、並びに光路１８を介して調芯されている。
【００４４】
また、第１の実施形態の両面反射ミラー２６の代わりに、光学機能部品として片面反射ミラー２６ｂがロータ２０に突設され、ロータ２０の回動に伴ってＧＲＩＮレンズ１６ａ、１６ｃ間の光路１８中に出入可能に配置されている。他の構成要素は、第１の実施形態の場合と同様である。
次に、図６の光スイッチ１０Ｄの動作を説明する。
【００４５】
第１の実施形態の場合と同様にして、ロータ２０の正逆方向への回動により、ロータ２０の両先端部の側面が第１及び第２のヨーク２８ａ、２８ｂのいずれか一方のヨークの２つの端部に当接した第１安定状態と第２安定状態を発生させ、この２つの安定状態を任意に往復する。
第１安定状態では、ロータ２０に突設されている片面反射ミラー２６ｂが光路１８中から離脱した状態となるため、例えば第１の光ファイバ１２ａ１を伝搬してきた光は、２芯フェルール１４ａ、ＧＲＩＮレンズ１６ａ、光路１８、ＧＲＩＮレンズ１６ｃ、及び１芯フェルール１４ｃを介して、第２の光ファイバ１２ｃに入射される。
【００４６】
また、第２安定状態では、片面反射ミラー２６ｂが光路１８中に挿入された状態となるため、第１の光ファイバ１２ａ１を伝搬してきた光は、２芯フェルール１４ａ及びＧＲＩＮレンズ１６ａを通過し、光路１８中の片面反射ミラー２６ｂで反射され、再びＧＲＩＮレンズ１６ａ及び２芯フェルール１４ａを通過して、第１の光ファイバ１２ａ２に入射される。
【００４７】
このようにして、片面反射ミラー２６ｂを光路１８中に出入させることにより、第１及び第２の光ファイバ１２ａ１、１２ａ２、１２ｃ間で光路を切替える１×２の光スイッチング動作が行われる。
以上のように本実施形態に係る光スイッチ１０Ｄによれば、片面反射ミラー２６ｂを光路１８中に出入させて第１及び第２の光ファイバ１２ａ１、１２ａ２、１２ｃ間の１×２の光スイッチング動作を行う際に、ロータ２０、第１及び第２のヨーク２８ａ、２８ｂ、及び励磁コイル３０ａ、３０ｂによって生じる磁気力によって片面反射ミラー２６ｂが駆動される構造となっているため、第１の実施形態の場合と同様に、優れたスイッチング精度や耐衝撃性・耐振動性を確保しつつ、比較的簡単な構造で、小型化と低消費電力化を達成することができる。
【００４８】
なお、本実施形態の片面反射ミラー２６ｂの代わりに、光学機能部品としてバンドパスフィルタを用いることも可能である。この場合、バンドパスフィルタが光路１８中に挿入された状態では、第１の光ファイバ１２ａ１を伝搬してきた光がバンドパスフィルタに入射した際に、波長帯域に応じて一部の光が透過し、他の一部の光が反射される。このため、所定の波長帯域の透過光が第２の光ファイバ１２ｃに入射され、他の所定の波長帯域の反射光が第１の光ファイバ１２ａ２に入射される。即ち、この場合の光スイッチは、入射ポートから伝播されてきた入射光のうち、その波長帯域に応じて透過ポートと反射ポートに振り分ける波長選択スイッチとして機能する。
【００４９】
（第５の実施形態）
図７に示されるように、本実施形態に係る光スイッチ１０Ｅにおいては、第１の実施形態の第１の光ファイバ１２ａ１、１２ａ２、２芯フェルール１４ａ、及びＧＲＩＮレンズ１６ａの代わりに、第１の光ファイバ１２ｄ、１芯フェルール１４ｄ、及びＧＲＩＮレンズ１６ｄが用いられている。また、第２の光ファイバ１２ｂ１、１２ｂ２、２芯フェルール１４ｂ、及びＧＲＩＮレンズ１６ｂの代わりに、第１の光ファイバ１２ｅ、１芯フェルール１４ｅ、及びＧＲＩＮレンズ１６ｅが用いられている。そして、第１の光ファイバ１２ｄと第２の光ファイバ１２ｅとが、１芯フェルール１４ｄ、１４ｅ、ＧＲＩＮレンズ１６ｄ、１６ｅ、及び光路１８を介して調芯されている。
【００５０】
また、第１の実施形態の両面反射ミラー２６の代わりに、光学機能部品として遮光板２６ｃがロータ２０に突設され、ロータ２０の回動に伴ってＧＲＩＮレンズ１６ｄ、１６ｅの間の光路１８中に出入可能に配置されている。他の構成要素は、第１の実施形態の場合と同様である。
次に、図７の光スイッチ１０Ｅの動作を説明する。
【００５１】
第１の実施形態の場合と同様にして、ロータ２０の正逆方向への回動により、ロータ２０の両先端部の側面が第１及び第２のヨーク２８ａ、２８ｂのいずれか一方のヨークの２つの端部に当接した第１安定状態と第２安定状態を発生させ、この２つの安定状態を任意に往復する。
第１安定状態では、ロータ２０に突設されている遮光板２６ｃが光路１８中から離脱した状態となるため、例えば第１の光ファイバ１２ｄを伝搬してきた光は、１芯フェルール１４ｄ、ＧＲＩＮレンズ１６ｄ、光路１８、ＧＲＩＮレンズ１６ｅ、及び１芯フェルール１４ｅを介して、第２の光ファイバ１２ｅに入射される。
【００５２】
また、第２安定状態では、遮光板２６ｃが光路１８中に挿入された状態となるため、第１の光ファイバ１２ｄを伝搬してきた光は、１芯フェルール１４ｄ及びＧＲＩＮレンズ１６ｄを通過した後、光路１８中の遮光板２６ｃで遮断されるため、第１の光ファイバ１２ｅに入射されることはない。
このようにして、遮光板２６ｃを光路１８中に出入させることにより、第１の光ファイバ１２ｄ及び第２の光ファイバ１２ｃ間で光路をオン／オフする１×１の光スイッチング動作が行われる。
【００５３】
以上のように本実施形態に係る光スイッチ１０Ｅによれば、遮光板２６ｃを光路１８中に出入させて第１及び第２の光ファイバ１２ｄ、１２ｅ間の１×１の光スイッチング動作を行う際に、ロータ２０、第１及び第２のヨーク２８ａ、２８ｂ、及び励磁コイル３０ａ、３０ｂによって生じる磁気力によって遮光板２６ｃが駆動される構造となっているため、第１の実施形態の場合と同様に、優れたスイッチング精度や耐衝撃性・耐振動性を確保しつつ、比較的簡単な構造で、小型化と低消費電力化を達成することができる。
【００５４】
なお、本実施形態における遮光板２６ｃの代わりに、光学機能部品としてＮＤ（Ｎｅｕｔｒａｌ　Ｄｅｎｓｉｔｙ；ニュートラルデンシティ）フィルタを用いることも可能である。この場合、ＮＤフィルタが光路１８中に挿入された状態では、第１の光ファイバ１２ｄを伝搬してきた光は、光路１８中のＮＤフィルタを透過する際に光量が減衰される。このため、所定の光量に減衰された透過光が第２の光ファイバ１２ｅに入射される。即ち、この場合の光スイッチは、入射光の光量を減衰するか否かのスイッチとして機能する。
【００５５】
また、光学機能部品としてバンドパスフィルタを用いることも可能である。この場合、バンドパスフィルタが光路１８中に挿入された状態では、第１の光ファイバ１２ｄを伝搬してきた光のうち、所定の波長帯域の光はバンドパスフィルタで遮断され、他の所定の波長帯域の光のみがバンドパスフィルタを透過して第２の光ファイバ１２ｅに入射される。即ち、この場合の光スイッチは、所定の波長帯域の光を遮断するか否か、言い換えれば所定の波長帯域の光を透過するか否かのスイッチとして機能する。
【００５６】
（第６の実施形態）
図８に示されるように、本実施形態に係る光スイッチ１０Ｆにおいては、第５の実施形態のＧＲＩＮレンズ１６ｄ、１６ｅの代わりに、コリメータとして非球面レンズ１６ｆ、１６ｇが用いられている。そして、第１の光ファイバ１２ａ１と第２の光ファイバ１２ｂ２とが、１芯フェルール１４ｄ、１４ｅ、非球面レンズ１６ｆ、１６ｇ、及び光路１８を介して調芯されている。他の構成要素は、第５の実施形態に係る光スイッチ１０Ｅと同様である。
【００５７】
なお、図８の光スイッチ１０Ｆの動作は、第５の実施形態の場合と略同様であるため、その説明は省略する。
以上のように本実施形態に係る光スイッチ１０Ｆによれば、ＧＲＩＮレンズ１６ｄ、１６ｅの代わりに非球面レンズ１６ｆ、１６ｇを用いている点の除けば第５の実施形態と同様の構造となっているため、略同様の効果を奏することができる。
【００５８】
なお、本実施形態における非球面レンズ１６ｆ、１６ｇの代わりに、コリメータとしてボールレンズを用いることも可能である。この場合も、同様の作用・効果が発揮される。
【００５９】
（第７の実施形態）
図９（ａ）、（ｂ）に示されるように、本実施形態に係る光スイッチ１０Ｇにおいては、第１の実施形態の第１及び第２のヨーク２８ａ、２８ｂ及び励磁コイル３０ａ、３０ｂの代わりに、各一つのヨーク２８ｃ及び励磁コイル３０ｃが配置されている。そして、このヨーク２８ｃの４つの端部ｃ１、ｃ２、…、ｃ４が、第１及び第２のヨーク２８ａ、２８ｂの４つの端部ａ１、ａ２、ｂ１、ｂ２に対応する位置にそれぞれ配置されている。他の構成要素は、第１の実施形態に係る光スイッチ１０Ａと同様である。
【００６０】
次に、図９（ａ）、（ｂ）の光スイッチ１０Ｇの動作を、図１０（ａ）、（ｂ）を用いて説明する。なお、この場合の両面反射ミラー２６の駆動方法は、第１の実施形態において図３（ａ）〜（ｄ）を用いて説明した場合と略同様な駆動方法となっている。
即ち、図１０（ａ）に示されるように、励磁コイル３０ｃに所定の方向の電流を流して、ヨーク２８ｃの一方の側、即ちロータ２０の両先端部及び回転軸２４を含む平面に関して一方の側（図中では左側）における両先端部の近傍にそれぞれ位置する２つの端部ｃ１、ｃ４をＳ極に磁化すると共に、他方の側（図中では右側）における両先端部の近傍にそれぞれ位置する２つの端部ｃ２、ｃ３をＮ極に磁化する。このとき、ロータ２０のＮ極側先端部と端部ｃ１との間、及びロータ２０のＳ極側先端部と端部ｃ２との間には、磁気的な吸引力が生じる。同時に、ロータ２０のＮ極側先端部と端部ｃ３との間、及びロータ２０のＳ極側先端部と端部ｃ４との間には、磁気的な反発力が生じる。このため、ロータ２０の両先端部の側面が端部ｃ１、ｃ２にそれぞれ当接した第１安定状態が発生する。
【００６１】
次いで、図１０（ｂ）に示されるように、励磁コイル３０ｃに流している電流の向きを切り替えて、４つの端部ｃ１、ｃ２、…、ｃ４をそれまでとは逆の極性に磁化する。こうして、ロータ２０の両先端部と２つの端部ｃ１、ｃ２との間にそれぞれ磁気的な反発力を生じさせ、同時に、ロータ２０の両先端部と２つの端部ｃ３、ｃ４との間にそれぞれに磁気的な吸引力を生じさせる。このため、ロータ２０は正方向に回動する。そして、ロータ２０の両先端部の側面が端部ｃ３、ｃ４にそれぞれ突き当たり当接した状態で、第２安定状態が発生する。
【００６２】
次いで、励磁コイル３０ｃに流している電流の向きを再び切り替えて、４つの端部ｃ１、ｃ２、…、ｃ４の極性を再度逆転する。こうして、ロータ２０の両先端部と２つの端部ｃ３、ｃ４との間にそれぞれ磁気的な反発力を生じさせ、同時に、ロータ２０の両先端部と２つの端部ｃ１、ｃ２との間にそれぞれ磁気的な吸引力を生じさせる。このため、ロータ２０は逆方向に回動する。そして、ロータ２０の両先端部の側面が２つの端部ｃ１、ｃ２にそれぞれ突き当たり当接した状態で、再び図１０（ａ）に示される第１安定状態に戻ることになる。
【００６３】
以上のように本実施形態に係る光スイッチ１０Ｇによれば、両面反射ミラー２６を光路１８中に出入させて第１及び第２の光ファイバ１２ａ１、１２ａ２、１２ｂ１、１２ｂ２間の２×２の光スイッチング動作を行う際に、ロータ２０、ヨーク２８ｃ、及び励磁コイル３０ｃによって生じる磁気力により駆動される構造となっているため、第１の実施形態の場合よりも更に簡単な構造となり、更なる小型化を達成することができる。
【００６４】
（第８の実施形態）
図１１（ａ）、（ｂ）に示されるように、本実施形態に係る光スイッチ１０Ｈにおいては、第７の実施形態の４つの端部ｃ１、ｃ２、…、ｃ４をもつヨーク２８ｃ及び励磁コイル３０ｃの代わりに、２つの端部ｄ１、ｄ２をもつヨーク２８ｄ及び励磁コイル３０ｄが配置されている。そして、このヨーク２８ｄの端部ｄ１、ｄ２が、第７の実施形態のヨーク２８ｃの端部ｃ１、ｃ４に対応する位置に配置されている。即ち、端部ｄ１、ｄ２は、ロータ２０の両先端部及び回転軸２４を含む平面に関して一方の側（図中では左側）に配置されている。なお、これら２つの端部ｄ１、ｄ２の配置位置は、ロータ２０の両先端部及び回転軸２４を含む平面に関して他方の側（図中では右側）とすることも可能である。他の構成要素は、第７の実施形態の場合と同様である。
【００６５】
次に、図１１（ａ）、（ｂ）の光スイッチ１０Ｇの動作を、図１２（ａ）、（ｂ）を用いて説明する。
図１２（ａ）に示されるように、励磁コイル３０ｄに所定の方向の電流を流して、ヨーク２８ｄのロータ２０の両先端部の近傍にそれぞれ位置する２つの端部ｄ１、ｄ２をＳ極に磁化する。このとき、ロータ２０のＮ極側先端部と端部ｄ１との間には磁気的な吸引力が生じ、同時に、ロータ２０のＳ極側先端部と端部ｄ２との間には磁気的な反発力を生じる。このため、ロータ２０のＳ極側先端部の側面が端部ｄ２に当接した第１安定状態が発生する。
【００６６】
次いで、図１２（ｂ）に示されるように、励磁コイル３０ｄに流している電流の向きを切り替えて、２つの端部ｄ１、ｄ２をそれまでとは逆の極性に磁化する。こうして、ロータ２０のＮ極側先端部と端部ｄ１との間に磁気的な反発力を生じさせ、同時に、ロータ２０のＳ極側先端部と端部ｄ２との間に磁気的な吸引力を生じさせる。このため、ロータ２０は正方向に回動する。そして、ロータ２０のＳ極側先端部の側面が端部ｄ２に突き当たり当接した状態で、第２安定状態が発生する。
【００６７】
次いで、励磁コイル３０ｄに流している電流の向きを再び切り替えて、２つの端部ｄ１、ｄ２の極性を再度逆転する。こうして、ロータ２０のＮ極側先端部と端部ｄ１との間に磁気的な反発力を生じさせ、同時に、ロータ２０のＳ極側先端部と端部ｄ２との間に磁気的な吸引力を生じさせる。このため、ロータ２０は逆方向に回動する。そして、ロータ２０のＳ極側先端部の側面がヨーク２８ｄの端部ｄ２に突き当たり当接した状態で、再び図１２（ａ）に示される第１安定状態に戻ることになる。
【００６８】
以上のように本実施形態に係る光スイッチ１０Ｇによれば、４つの端部ｃ１、ｃ２、…、ｃ４をもつヨーク２８ｃの代わりに、２つの端部ｄ１、ｄ２をもつヨーク２８ｄが用いられた構造となっているため、第７の実施形態の場合よりも更に簡単な構造となり、更なる小型化を達成することができる。
【００６９】
（第９の実施形態）
図１３（ａ）、（ｂ）に示されるように、本実施形態に係る光スイッチ１０Ｉにおいては、第７の実施形態の４つの端部ｃ１、ｃ２、…、ｃ４をもつヨーク２８ｃ及び励磁コイル３０ｃの代わりに、２つの端部ｅ１、ｅ２をもつヨーク２８ｅ及び励磁コイル３０ｅが配置されている。そして、このヨーク２８ｅの２つの端部ｅ１、ｅ２が、ヨーク２８ｃの端部ｃ１、ｃ３に対応する位置、即ちロータ２０のＮ極側先端部の近傍に配置されている。なお、これら２つの端部ｅ１、ｅ２の配置位置は、ロータ２０のＳ極側先端部の近傍とすることも可能である。他の構成要素は、第７の実施形態の場合と同様である。
【００７０】
次に、図１３（ａ）、（ｂ）の光スイッチ１０Ｇの動作を、図１４（ａ）、（ｂ）を用いて説明する。
図１４（ａ）に示されるように、励磁コイル３０ｅに所定の方向の電流を流して、ヨーク２８ｅのロータ２０のＮ極側先端部の近傍に位置する２つの端部ｅ１、ｅ２をそれぞれＳ極及びＮ極に磁化する。このとき、ロータ２０のＮ極側先端部に対し、端部ｅ１との間には磁気的な吸引力が生じ、同時に、端部ｅ２との間には磁気的な反発力を生じる。このため、ロータ２０のＮ極側先端部の側面が端部ｅ１に当接した第１安定状態が発生する。
【００７１】
次いで、図１４（ｂ）に示されるように、励磁コイル３０ｅに流している電流の向きを切り替えて、２つの端部ｅ１、ｅ２をそれまでとは逆の極性に磁化する。こうして、ロータ２０のＮ極側先端部に対し、端部ｅ１との間に磁気的な反発力を生じさせ、同時に、端部ｅ２との間に磁気的な吸引力を生じさせる。このため、ロータ２０は正方向に回動する。そして、ロータ２０のＮ極側先端部の側面が端部ｅ２に突き当たり当接した状態で、第２安定状態が発生する。
【００７２】
次いで、励磁コイル３０ｅに流している電流の向きを再び切り替えて、２つの端部ｅ１、ｅ２の極性を再度逆転する。こうして、ロータ２０のＮ極側先端部に対し、端部ｅ２との間に磁気的な反発力を生じさせ、同時に、端部ｅ１との間に磁気的な吸引力を生じさせる。このため、ロータ２０は逆方向に回動する。そして、ロータ２０のＮ極側先端部の側面が端部ｅ１に突き当たり当接した状態で、再び図１４（ａ）に示される第１安定状態に戻ることになる。
【００７３】
以上のように本実施形態に係る光スイッチ１０Ｇによれば、４つの端部ｃ１、ｃ２、…、ｃ４をもつヨーク２８ｃの代わりに、２つの端部ｅ１、ｅ２をもつヨーク２８ｅが用いられた構造となっているため、第７の実施形態の場合よりも更に簡単な構造となり、更なる小型化を達成することができる。
なお、第１〜第９の実施形態においては、第１及び第１２の光ファイバとして２本又は１本の光ファイバを用い、コリメータとしてＧＲＩＮレンズや非球面レンズやボールレンズを用い、光学機能部品として両面反射ミラーやプリズムや片面反射ミラーやバンドパスフィルタや遮光板やＮＤフィルタを用い、ヨークとして２つ又は４つの端部を有するものを用い、これらを種々に組み合わせているが、これらの組合せは上記の実施形態に限定されるものではなく、必要に応じて他の組合せも可能である。
【００７４】
また、第１〜第９の実施形態に係る光スイッチ１０Ａ，１０Ｂ、…、１０Ｉを複数個、並列に配置して、大きな１個の光スイッチを構成してもよい。この場合、例えば２×２や２×１の光スイッチング動作に限らず、ｍ×ｎ（但し、ｍ＞２、ｎ＞１）の光スイッチング動作が可能になる。
【００７５】
【発明の効果】
以上詳細に説明したように、本発明によれば、光学機能部品を光路中に出入させて第１の光ファイバ及び第２の光ファイバ間の光スイッチング動作を行う際に、ロータ、ヨーク、及び励磁コイルによって生じる磁気力によって光学機能部品が駆動される構造となっているため、優れたスイッチング精度や耐衝撃性・耐振動性を確保しつつ、比較的簡単な構造で、小型化と低消費電力化を達成することができる。
【図面の簡単な説明】
【図１】（ａ）は本発明の第１の実施形態に係る光スイッチを示す概略図、（ｂ）は（ａ）のＡ−Ａ線断面図である。
【図２】図１（ａ）、（ｂ）の光スイッチの動作の一例を説明するための模式図である。
【図３】図１（ａ）、（ｂ）の光スイッチの動作の他の例を説明するための模式図である。
【図４】（ａ）は本発明の第２の実施形態に係る光スイッチを示す概略図、（ｂ）は（ａ）のＢ−Ｂ線断面図である。
【図５】本発明の第３の実施形態に係る光スイッチを示す概略図である。
【図６】本発明の第４の実施形態に係る光スイッチを示す概略図である。
【図７】本発明の第５の実施形態に係る光スイッチを示す概略図である。
【図８】本発明の第６の実施形態に係る光スイッチを示す概略図である。
【図９】（ａ）は本発明の第７の実施形態に係る光スイッチを示す概略図、（ｂ）は（ａ）のＣ−Ｃ線断面図である。
【図１０】図９（ａ）、（ｂ）の光スイッチの動作の一例を説明するための模式図である。
【図１１】（ａ）は本発明の第８の実施形態に係る光スイッチを示す概略図、（ｂ）は（ａ）のＤ−Ｄ線断面図である。
【図１２】図１１（ａ）、（ｂ）の光スイッチの動作の一例を説明するための模式図である。
【図１３】（ａ）は本発明の第９の実施形態に係る光スイッチを示す概略図、（ｂ）は（ａ）のＥ−Ｅ線断面図である。
【図１４】図１３（ａ）、（ｂ）の光スイッチの動作の一例を説明するための模式図である。
【符号の説明】
１０Ａ　　第１の実施形態に係る光スイッチ
１０Ｂ　　第２の実施形態に係る光スイッチ
１０Ｃ　　第３の実施形態に係る光スイッチ
１０Ｄ　　第４の実施形態に係る光スイッチ
１０Ｅ　　第５の実施形態に係る光スイッチ
１０Ｆ　　第６の実施形態に係る光スイッチ
１０Ｇ　　第７の実施形態に係る光スイッチ
１０Ｈ　　第８の実施形態に係る光スイッチ
１０Ｉ　　第９の実施形態に係る光スイッチ
１２ａ１、１２ａ２、１２ｄ　　第１の光ファイバ
１２ｂ１、１２ｂ２、１２ｃ、１２ｅ　　第２の光ファイバ
１４ａ、１４ｂ、　　２芯フェルール
１４ａ１、１４ｂ２、１４ｃ、１４ｄ、１４ｅ　　１芯フェルール
１６ａ、１６ｂ、１６ａ１、１６ｂ１，１６ｃ、１６ｄ、１６ｅ　　ＧＲＩＮレンズ
１６ｆ、１６ｇ　　非球面レンズ
１８　　　光路
２０　　　ロータ
２２　　　軸受け
２４　　　回転軸
２６　　　両面反射ミラー
２６ａ　　プリズム
２６ｂ　　片面反射ミラー
２６ｃ　　遮光板
２８ａ、２８ｂ、２８ｃ、２８ｄ、２８ｅ　　ヨーク
ａ１、ａ２；ｂ１、ｂ２；ｃ１、ｃ２、…、ｃ４；ｄ１、ｄ２；ｅ１、ｅ２　ヨークの端部
３０ａ、３０ｂ、３０ｃ、３０ｄ、３０ｅ　　励磁コイル
３２　　　ミラー位置検出器
３４ａ　　発光部
３４ｂ　　受光部
３４　　　フォトセンサ
３６　　　遮光板
３８　　　光路
【図１】
2004133030.tif 000003
【図２】
2004133030.tif 000004
【図３】
2004133030.tif 000005
【図４】
2004133030.tif 000006
【図５】
2004133030.tif 000007
【図６】
2004133030.tif 000008
【図７】
2004133030.tif 000009
【図８】
2004133030.tif 000010
【図９】
2004133030.tif 000011
【図１０】
2004133030.tif 000012
【図１１】
2004133030.tif 000013
【図１２】
2004133030.tif 000014
【図１３】
2004133030.tif 000015
【図１４】
2004133030.tif 000016